(57)【要約】【課題】遊技機本体の底部にメダルが落下しても着脱部材の着脱の妨げとならない遊技機を提供する。【解決手段】収納箱１１は、底板１００と、底板１００上に配置されて底板１００の一部を覆う板金１０２とを備え、遊技機本体の底部は、底板１００及び板金１０２から構成される。板金１０２には、切り欠き部１１０が形成されており、ホッパ装置１４は、切り欠き部１１０の上部を前後にスライド自在に設けられ、手前側に引き出すことにより収納箱１１から取り外され、奥側に押し込むことにより収納箱１１に収納される。板金１０２の厚みはメダル１３０の厚み以上であり、遊技機本体の底部にメダルが落下しても、このメダルが切り欠き部１１０に落ち込むことで、ホッパ装置１４の移動が阻害されることが無く、ホッパ装置１４のスムーズな着脱が可能となる。【選択図】図１１
2019187887.tif 000002
【特許請求の範囲】
【請求項１】
メダルを投入して遊技を行う遊技機において、
遊技機本体の底部を構成する底板と、
前記底板上に配置されて前記底板の上面の一部を覆い、前記底板とともに遊技機本体の底部を形成する板金と、
前記底部上を、前後にスライドされることにより前記遊技機本体に対して着脱される着脱部材を備え、
前記板金の厚みが、前記メダルの厚み以上に形成されていることを特徴とする遊技機。
【発明の詳細な説明】
【技術分野】
【０００１】
本発明は、パチンコ店などの遊技場に設置されるスロットマシンなどの遊技機に関するものである。
【背景技術】
【０００２】
パチンコ店などの遊技場に設置されるスロットマシンなどの遊技機が広く知られている。遊技機では、遊技機本体の底部を構成する底板と、底板上に配置されて底板の一部を覆い、底板とともに遊技機本体の底部を構成する板金とを備えている。このように、底板と板金とから構成される遊技機本体の底部には、例えば、遊技機の各部に電源を供給するための電源ＢＯＸや、メダルの払い出しを行うホッパ装置、ホッパ装置から溢れたメダルを収納するためのオーバーフロータンクなどの各種の部品が配置される。
【０００３】
上述のように遊技機の底部に配置された部品の中には、手前側（遊技機本体の前面側）に引き出して遊技機本体から取り外したり、奥側（遊技機本体の背面側）に押し込んで遊技機本体に装着するといったように、底部上を前後にスライドさせることによって遊技機本体に対して着脱自在に設けられたものもある。こうすることで、例えば、ホッパ装置やオーバーフロータンクから底部に落下したメダルを回収するなどのメンテナンスが容易となる。
【０００４】
また、遊技機の中には、遊技機本体の底部に配置された部品を、板金を介してアースする構成としたものもある（例えば、下記特許文献１、２参照）。こうすることで、アース用の配線などを別途設ける場合と比較して効率良くアースできる。
【先行技術文献】
【特許文献】
【０００５】
【特許文献１】特開２００３−２６０１７９号公報
【特許文献２】特開２００７−０３７５７６号公報
【発明の概要】
【発明が解決しようとする課題】
【０００６】
しかしながら、上記特許文献記載の装置では、遊技機本体の底部に落下したメダルが、底部上を前後にスライドさせる部品（着脱部材）の着脱（スライド）の妨げとなってしまうといった問題があった。
【０００７】
本発明は、上記課題を鑑みてなされたものであり、遊技機本体の底部にメダルが落下しても着脱部材の着脱の妨げとならない遊技機を提供することを目的としている。
【課題を解決するための手段】
【０００８】
上記目的を達成するために、本発明の遊技機は、
メダルを投入して遊技を行う遊技機において、
遊技機本体の底部を構成する底板と、
前記底板上に配置されて前記底板の上面の一部を覆い、前記底板とともに遊技機本体の底部を形成する板金と、
前記底部上を、前後にスライドされることにより前記遊技機本体に対して着脱される着脱部材を備え、
前記板金の厚みが、前記メダルの厚み以上に形成されていることを特徴としている。
【０００９】
また、本発明の遊技機は、
基板が収められた基板ケースと、
前記基板に設けられた基板側コネクタと、
前記基板ケース外の部品から延びるハーネスの先端に設けられ、前記基板側コネクタに接続されるハーネス側コネクタと、
前記基板ケースを貫通するように形成され、少なくとも前記ハーネスを前記基板ケース外に露呈させるための開口と、
前記開口の近傍に形成され、前記開口から前記基板ケース外に露呈したハーネスを、前記基板ケースの外壁に沿う方向へと屈曲させるためのハーネス経路規制部材と、
を備えたことを特徴としている。
【００１０】
前記基板ケースには、
前記開口から前記ハーネス側コネクタを露呈させて前記ハーネス側コネクタの着脱スペースを確保するために、前記開口に向かうほど前記基板に近づくように傾斜された傾斜部が形成されていてもよい。
【００１１】
前記基板ケースの近傍に配置される近傍部材と、
前記近傍部材を固定するための固定具と、を備え、
前記基板側コネクタに前記ハーネス側コネクタを装着した場合に、前記ハーネス側コネクタと前記ハーネスとの少なくとも一方が前記開口から露呈して前記固定具を遮蔽することにより、前記近傍部材の取り外しが阻止されるものでもよい。
【００１２】
また、本発明の遊技機は、
収納箱と前記収納箱の前面側に設けられた開口部に開閉自在に取り付けられた前面扉とを備え、前記収納箱に当該遊技機の各部に電源を供給するための電源ＢＯＸが配置された遊技機において、
導電性を有する材料から形成されて前記開口部の上下左右の少なくとも１つの内周を構成するとともに、接地されてアースとして機能する導電板と、
導電性を有する材料から形成されて前記電源ＢＯＸの外装の少なくとも一部を構成するとともに、前記導電板へ向けて延設された延設部を有し、前記延設部が前記導電板と接続されることにより、前記導電板を介して接地されてアースとして機能する外装体と、
を備えたことを特徴としている。
【００１３】
さらに、本発明の遊技機は、
収納箱と前記収納箱の前面側に設けられた開口部に開閉自在に取り付けられた前面扉とを備え、前記収納箱に当該遊技機の各部に電源を供給するための電源ＢＯＸが配置された遊技機において、
前記収納箱の内壁と前記電源ＢＯＸの外装のうち前記内壁側の外装との間に形成された前後に長い隙間と、
前記収納箱の内壁のうち、前記隙間の後端側の内壁を貫通するように設けられた開口と、
前記電源ＢＯＸの前記内壁側の外装に形成された放熱口と、
を備え、
前記放熱口は、前記隙間から、前記開口へ向けて、前記電源ＢＯＸ内の熱を放熱することを特徴としている。
【発明の効果】
【００１４】
本発明では、板金の厚みをメダルの厚み以上としたので、遊技機本体の底部にメダルが落下しても、落下したメダルが底板上（板金から露呈した底板の上面）に落ち込むことで、着脱部材のスライドを妨げることがない。
【図面の簡単な説明】
【００１５】
【図１】スロットマシンの外観図である。
【図２】収納箱の内部に各種の部品が収納されている様子を示す説明図である。
【図３】ハーネス経路規制部材を示す説明図である。
【図４】ハーネス経路規制部材を示す説明図である。
【図５】傾斜部を示す説明図である。
【図６】傾斜部を示す説明図である。
【図７】傾斜部を示す説明図である。
【図８】ハーネス側コネクタが基板側コネクタに係合された状態を示す説明図である。
【図９】ハーネス側コネクタが基板側コネクタから取り外された状態を示す説明図である。
【図１０】収納箱に収納された各種の部品を収納箱から取り外した状態を示す説明図説明図である。
【図１１】板金の厚みを示す説明図である。
【図１２】電源ＢＯＸの外装体の構成図である。
【図１３】放熱口の説明図である。
【発明を実施するための形態】
【００１６】
図１に示すように、スロットマシン（遊技機）１０は、収納箱１１と、前面扉１２とを備え、これらから遊技機本体が構成されている。収納箱１１には、複数（例えば、３つ）のリールがユニット化されたリールユニット（図示せず）や、メダルの払い出しを行うホッパ装置１４（図２、図１０参照）など各種の部品が収納されている。前面扉１２は、上扉１２ａと下扉１２ｂとに分割されており、これら上扉１２ａ及び下扉１２ｂはそれぞれ収納箱１１に軸着され、収納箱１１の前面側に設けられた開口部を開口させる開き位置と開口部を閉じる閉じ位置との間で開閉自在に支持されている。
【００１７】
上扉１２ａには、その前面に、各種画像を表示する液晶ディスプレイ１５、及び、リールを視認させるための透明窓１６が設けられている。リールの外周面には複数種類の図柄が配列されており、リールが停止した状態では、透明窓１６を通して１つのリールにつき３個の図柄が表示される。
【００１８】
下扉１２ｂには、メダルを投入するメダル投入口２２、クレジットされたメダルをベットする際に操作されるベットボタン２３、遊技を開始する際に操作されるスタートレバー２４、回転しているリールを停止させるためのストップボタン２６ａ〜２６ｃ、ホッパ装置から払い出されたメダルを受けるメダル受け皿２７、クレジットされたメダルを清算するための清算ボタン２８が設けられている。
【００１９】
また、スロットマシン１０には、下扉１２ｂにも液晶ディスプレイ２９が設けられている。この液晶ディスプレイ２９は、液晶ディスプレイ１５と同様に各種画像を表示可能な他、画面全体を押し込むように操作することが可能となっており、表示手段としてだけでなく操作手段としても機能する。
【００２０】
スロットマシン１０では、メダル投入口２２にメダルを投入、または、ベットボタン２３操作することによりメダルがベットされるとスタートレバー２４が有効化され、有効化されたスタートレバー２４を操作すると遊技が開始される。遊技が開始されると、内部抽選が実行される。内部抽選では、少なくても１つ役またはハズレが割り当てられた複数の当選エリアのいずれかが決定され、決定された当選エリアに割り当てられた役が当選（当選役）となる。
【００２１】
また、遊技が開始されると、リールが回転を開始する。リールの回転速度が一定速度に到達して定常回転となるとストップボタン２６ａ〜２６ｃの操作が有効化され、有効化されたストップボタン２６ａ〜２６ｃを操作すると操作されたストップボタンに対応するリールを停止させることができる。そして、全てのリールが停止したときに、当選役に対応する図柄組合せが表示されると、この当選役が入賞となり、入賞した当選役に対応する処理（入賞処理）が実行される。
【００２２】
図２に示すように、収納箱１１の内部には、前述したホッパ装置１４の他、ホッパ装置１４から溢れたメダルを収納するためのオーバーフロータンク３０、スロットマシン１０の各部に電源を供給するための電源回路が収められた電源ＢＯＸ３２、電子部品が実装された回路基板５２（図４参照）などが収められた基板ケース３４、３６、３８が収納されている。
なお、図２、及び、後述する図１０では、前面扉１２の図示を省略している。また、収納箱１１の内部には、上述したホッパ装置１４、電源ＢＯＸ３２、基板ケース３４、３６、３８以外にも、例えば、リールユニットなど各種の部品が収納されているが、これら（上述したホッパ装置１４、オーバーフロータンク３０、電源ＢＯＸ３２、基板ケース３４、３６、３８以外の部材）についても図示を省略している。
【００２３】
＜各種ケースの透明化によるメンテナンス性の向上＞
スロットマシン１０では、ホッパ装置１４の下部の外装を構成する本体箱４０、電源ＢＯＸ３２の前面（遊技機本体の手前側の面）、後面（遊技機本体の奥側の面）、上面、側面（遊技機本体の内側（ホッパ装置１４側）の面）の４つの面の外装を構成する外装体４２、及び、基板ケース３４、３６、３８を透明な材料（例えば、樹脂）から形成している。
こうすることで、収納箱１１に収納された各種部品の視認性が向上し、例えば、落下してホッパ装置１４（本体箱４０）の下部に溜まったメダルや、故障箇所、破損箇所の発見が容易となるなどにより、メンテナンス性が向上する。また、不正な改造の痕跡を発見することも容易となる。
【００２４】
＜ハーネス経路規制部材による省スペース化＞
図２において、基板ケース３４は、収納箱１１の奥壁４４に配置され、基板ケース３６、３８は、収納箱１１の側壁４６に配置されている。また、基板ケース３６は、奥壁４４側の端部が、基板ケース３４と側壁４６との間に形成された隙間に挿入されるように配置されている。
【００２５】
図３、図４に示すように、基板ケース３６の側面（遊技機本体の内側（ホッパ装置１４側）の面）には、奥壁４４側に開口４８が形成され、開口４８からハーネス５０が露呈している。ハーネス５０は基板ケース３６外の部品から延び、先端（回路基板５２側）には、ハーネス側コネクタ５４が設けられ、このハーネス側コネクタ５４が回路基板５２に実装された基板側コネクタ５６に係合されている。このようにハーネス側コネクタ５４と基板側コネクタ５６とが係合されることによって、基板ケース３６外の部品と回路基板５２とがハーネス５０を介して電気的に接続される。
【００２６】
基板ケース３６には、開口４８の近傍にハーネス経路規制部材５８が立設されている。
ハーネス経路規制部材５８は、基端部が開口４８よりも奥側（奥壁４４側）に設けられ、先端部が開口４８よりも手前側に設けられている。そして、ハーネス経路規制部材５８は、基端部から中間部（基端部と先端部との中間部分）へかけては基板ケース３６から遠ざかるように斜め手前方向に向かい、中間部で基板ケース３６の外壁と平行な方向に屈曲されて手前側の先端部へ向かう形状に形成されている。
ハーネス５０は、回路基板５２から垂直に遠ざかる方向へ向かった後、その経路がハーネス経路規制部材５８により基板ケース３６の外壁と平行な方向（基板ケース３６の外壁に沿う方向）に屈曲され（規制され）、基板ケース３６の外壁に沿って手前方向へと向かう。
スロットマシン１０では、上述のようにハーネス経路規制部材５８によりハーネス５０の経路を基板ケース３６の外壁に沿う方向へと規制するようにした。これにより、ハーネス経路規制部材５８を設けずにハーネス５０が基板ケース３６から垂直に遠ざかる方向に延びている場合と比較して、ハーネス５０と基板ケース３６外の部品との干渉を防止し、省スペース化（スペースの有効活用）が可能である。具体的には、本実施形態のように、基板ケース３４と側壁４６との間などの狭い隙間であっても基板ケース３６を配置することが可能であり、このような隙間を有効活用できる。
【００２７】
なお、本発明は、基板ケースから露呈したハーネスの経路を、ハーネス経路規制部材により基板ケースの外壁に沿う方向へと規制すればよいので、基板ケースやハーネス経路規制部材の具体的な形状や配置位置については、適宜変更できる。
また、上記実施形態では、ハーネス経路規制部材を基板ケースと一体に設ける例で説明をしたが、ハーネス経路規制部材を基板ケースとは別体に設けてもよい。この場合、ハーネス側コネクタを基板側コネクタに接続した後にハーネス経路規制部材を基板ケースに固定すればよい。
さらに、上記実施形態では、ハーネス経路規制部材により、コネクタ（ハーネス側コネクタ）から延びるハーネスの経路を規制する例で説明をしたが、コネクタを介さずに基板に直接接続されているハーネスの経路をハーネス経路規制部材により規制してもよい。
【００２８】
＜傾斜部によるコネクタの着脱性の向上＞
図２、図５に示すように、基板ケース３６の側面には、開口６０が設けられており、開口６０から回路基板５２（図４参照）に実装された基板側コネクタ６６が露呈されている。基板側コネクタ６６には、基板ケース３６外の部品から延びるハーネス６１の先端に設けられたハーネス側コネクタ６４が係合されている。このようにハーネス側コネクタ６４と基板側コネクタ６６とが係合されることによって、基板ケース３６外の部品と回路基板５２とがハーネス６１を介して電気的に接続される。
【００２９】
図５において、基板ケース３６には、開口６０の近傍に傾斜部６８が設けられている。
傾斜部６８は、開口６０に向かうほど回路基板５２へ近づくように、基板ケース３６の外壁を傾斜させることにより形成されている。
なお、本実施形態では、開口６０の上下左右（上側、下側、奥側、手間側）の４つの方向から開口６０に向けて傾斜するように傾斜部６８を形成している
このように、傾斜部６８を設けることにより、ハーネス側コネクタ６４の周囲にスペースが形成され、このスペースを利用してハーネス側コネクタ６４を把持するなどが可能となる。つまり、傾斜部６８を設けて開口６０からハーネス側コネクタ６４を露呈させることにより、ハーネス側コネクタ６４を着脱するための着脱スペースが確保される。これにより、ハーネス側コネクタ６４の着脱が容易となり、メンテナンス性などが向上する。
【００３０】
なお、上記実施形態では、傾斜部が、開口６０の上下左右（上側、下側、奥側、手間側）の４つの方向から開口６０に向けて傾斜している例で説明をしたが、傾斜部は少なくとも１つの方向から開口へ向けて傾斜していればよい。このため、例えば、図６に示す傾斜部６８ａのように前後（手前側、奥側）からのみ開口６０へ向けて傾斜するようにしてもよい。また、図７に示すように、基板側コネクタ６６やハーネス側コネクタ６４が基板ケース３６の角（図７の例では基板ケースの側面の手前側かつ下側）にある場合には、傾斜部６８ｂのように、一方向（図７の例では前（奥側））からのみ開口６０へ向けて傾斜するようにしてもよい。
なお、図６、図７では、上述した実施形態と同様の部材については同様の符号を付して説明を省略している。
【００３１】
＜ハーネス側コネクタの取り付けにより遮蔽される固定具＞
図２、図８、図９に示すように、基板ケース３６の上面の手前側には開口７０が形成されており、開口７０から回路基板５２（図４参照）に実装された基板側コネクタ７６が露呈されている。基板側コネクタ７６には、基板ケース３６外の部品から延びるハーネス７１の先端に設けられたハーネス側コネクタ７４が係合されている。このようにハーネス側コネクタ７４と基板側コネクタ７６とが係合されることによって、基板ケース３６外の部品と回路基板５２とがハーネス７１を介して電気的に接続される。
【００３２】
また、基板ケース３６の上方には、基板ケース３８（近傍部材）が配置されている。基板ケース３８は、基板ケース３８の手前側の上下２本、及び、奥側の上下２本の合計４本のネジ８０（固定具）により収納箱１１の側壁４６に固定（ネジ止め）されている。そして、ネジ８０のうちの１本（本例では、基板ケース３８の手前側の下）は、基板側コネクタ７６にハーネス側コネクタ７４を係合させた（装着した）状態（図８参照）ではハーネス側コネクタ７４により遮蔽され、基板側コネクタ７６からハーネス側コネクタ７４を取り外した状態（図９参照）では露呈される位置に設けられている。つまり、このような位置関係となるように、ネジ８０（ネジ８０による固定位置）と基板側コネクタ７６との相対的な位置関係が決定されている。
こうすることで、ハーネス側コネクタ７４が装着された状態では、ネジ８０へのアクセスが阻害されて基板ケース３８を着脱できず、基板ケース３８を着脱するためにはハーネス側コネクタ７４を取り外さなければならない。つまり、基板ケース３８の取り外しに手間がかかる。これにより、基板ケース３８を不正に着脱するといった行為を抑制できる。
【００３３】
なお、上記実施形態では、固定具がネジである例で説明したが、固定具はネジ以外であってもよい。ネジ以外の固定具としては、例えば、ボルトやナット、係止爪を係止部に係合させて固定するものなどが挙げられる。
また、上記実施形態では、近傍部材が基板ケースである例で説明をしたが、近傍部材は基板ケース以外であってもよい。
さらに、上記実施形態では、ハーネス側コネクタにより固定具を遮蔽して取り外しを阻止する例で説明をしたが、ハーネスにより固定具を遮蔽して取り外しを阻止する構成としてもよい。
また、上記実施形態では、開口からハーネス側コネクタ及びハーネスが露呈される例で説明をしたが、開口からハーネスのみが露呈される構成としてもよい。
【００３４】
なお、上記実施形態では、ハーネス経路規制部材、傾斜部、固定具の取り外し防止構成（ハーネス側コネクタまたはハーネスにより固定具の取り外しを防止する構成（図８参照））の全てを共通の基板ケースに設ける例で説明をしたが、これら３つの構成を別々の基板ケースに設けてもよい。もちろん、前述した３つの構成のうちの任意の２つのみを共通の基板ケースに設けてもよい。
また、上記実施形態では、前述した３つの構成を基板ケースの別々の場所（別々の開口の近傍）に設ける例で説明をしたが、これら３つの構成の全て、または、任意の２つを、同じ場所（共通の開口の近傍）に設けてもよい。
【００３５】
＜メダル落下時の悪影響防止に寄与する底部の板金の厚み＞
図１０に示すように、収納箱１１は、底板１００と、底板１００上に配置されて底板１００の一部を覆う板金１０２（収納箱１１の開口部の下側の内周を形成する導電板）とを備え、遊技機本体の底部は、これら底板１００（底板１００の上面）及び板金１０２から構成される。
板金１０２は、手前側が収納箱１１の内部の左右全域に渡るように形成され、左右それぞれの端部が、収納箱１１の内部の側面を構成する側板１０４、１０６（収納箱１１の開口部の左側、右側の内周を形成する導電板）に当接されている。側板１０４、１０６は、収納箱１１の内部天面を構成する天板１０８（収納箱１１の開口部の上側の内周を形成する導電板）（図２参照）を介して連結されている。スロットマシン１０では、このように連結された板金１０２、側板１０４、１０６、天板１０８を、金属などの導電性を有する材料から形成し、これらのいずれかを接地（アース）することにより、これら全体がアースとして機能するようにしている。
【００３６】
板金１０２には、切り欠き部１１０が形成されており、切り欠き部１１０から底板１００が露呈されている。切り欠き部１１０の左右には一対のスライドレール１１２、１１４が設けられており、ホッパ装置１４は、スライドレール１１２、１１４の間（切り欠き部１１０の上部）を前後（手前側と奥側）にスライド自在に設けられ、手前側に引き出すことにより収納箱１１から取り外され、奥側に押し込むことにより収納箱１１に収納される。
【００３７】
ホッパ装置１４は板金１０２を介してアースされている。
具体的には、板金１０２と当接するホッパ装置１４の本体箱４０の下端部に設けられ、左右に突出する突出片（板金１０２の上面とスライドレール１１２、１１４との間に形成された隙間に挿入される部分（符号無し））を、導電性を有する材料から形成し、ホッパ装置１４のアースとして機能させている。
なお、前述した隙間（板金１０２の上面とスライドレール１１２、１１４との間に形成された隙間であり、本体箱４０の下端部から左右に突出した突出片が挿入される隙間）の奥側（スロットマシン１０の背面側）には、隙間を塞ぐようにストッパ（図示せず）が設けられている。そして、ホッパ装置１４は、このストッパにより奥側への移動が規制されている（ホッパ装置１４がストッパよりも奥側に移動してしまうことがないように構成されている）。
【００３８】
板金１０２には、切り欠き部１２０が形成されており、切り欠き部１２０から底板１００が露呈されている。切り欠き部１２０は前後に長く形成されており、オーバーフロータンク３０は、切り欠き部１２０の上部を前後にスライド自在に設けられ、手前側に引き出すことにより収納箱１１から取り外され、奥側に押し込むことにより収納箱１１に収納される。
このように、ホッパ装置１４、及び、オーバーフロータンク３０は、遊技機本体の底部上を前後にスライドされることにより遊技機本体（収納箱１１）に対して着脱される、本発明の着脱部材として機能する。
【００３９】
上述のように、着脱部材（本例では、ホッパ装置１４やオーバーフロータンク３０）は、遊技機本体の底部をスライドされて着脱されるため、遊技機本体の底部にメダルが落下していると、このメダルによりスライドが阻害され、スムーズな着脱が行えない場合がある。
このため、スロットマシン１０では、遊技機本体の底部にメダルが落下している場合であっても、このメダルの上方を着脱部材がスムーズに通過できるように工夫が施されている。
具体的には、図１１に示すように、板金１０２の厚みをメダル１３０の厚み以上としている。
これにより、遊技機本体の底部にメダル１３０が落下しても、このメダル１３０が切り欠き部１１０や切り欠き部１２０に落ち込むことで、着脱部材の移動が阻害されることが無く、着脱部材のスムーズな着脱が可能となる。
【００４０】
なお、本実施形態では、板金１０２の上面にホッパ装置１４を載置した場合に、本体箱４０の下面のうち、少なくとも奥側（スロットマシン１０の背面側）の端部が隙間なく板金１０２の上面に当接するようにしている。
こうすることで、切り欠き１１０に落ち込むこと無く板金１０２の上面にメダル１３０が乗っている状態であっても、ホッパ装置１４を遊技機本体に装着する際に本体箱４０の奥側の下端部により押しずらして、切り欠き１１０に落ち込ませることができる。
また、前述のように、本実施形態では、本体箱４０を透明な材料から形成しているため、切り欠き１１０に落ち込んだメダル１３０の確認も容易である。
【００４１】
同様に、本実施形態では、板金１０２の上面にオーバーフロータンク３０を載置した場合に、オーバーフロータンク３０の下面のうち、少なくとも奥側の端部が隙間なく板金１０２の上面に当接するようにしている。
こうすることで、切り欠き１２０に落ち込むこと無く板金１０２の上面にメダル１３０が乗っている状態であっても、オーバーフロータンク３０を遊技機本体に装着する際にオーバーフロータンク３０の奥側の下端部により押しずらして、切り欠き１２０に落ち込ませることができる。
【００４２】
なお、一般に、スロットマシンで用いられるメダルとしては、２種類のメダルが知られており、１つは、直径が２５ｍｍ程度、厚みが１．６ｍｍ程度のものであり、もう１つは、直径が３０ｍｍ程度、厚みが１．７ｍｍ程度のものである。
板金１０２の厚みは、スロットマシン１０で用いるメダルの厚みよりも厚ければよいので、用いるメダルにより板金１０２の厚みを決定すればよい。
ただし、板金１０２の厚みが１．６ｍｍ以上１．７ｍｍ未満であると、厚みが１．７ｍｍのメダルを用いるスロットマシンに板金１０２を流用することができず、汎用性が低くなる。反対に、板金の厚みが厚くなるほど、重量やコストが増大してしまう。
このため、板金１０２の厚みは、１．７ｍｍ程度とすることが好ましい。
【００４３】
また、切り欠き部１１０、１２０にメダルが落ち込むために、切り欠き部１１０、１２０の幅（左右方向の長さ）は、少なくともメダルの直径以上に形成されている必要があるが、切り欠き部１１０、１２０の幅がメダルの直径の整数倍であると、切り欠き部１１０、１２０に落ち込んだメダルが幅方向に隙間なく並んでしまい、取り出しが困難になるといった問題がある。
このため、切り欠き部１１０、１２０の幅は、メダルの直径の整数倍＋アルファ（メダルの直径の１０％〜９０％程度の長さ）であることが好ましい。
【００４４】
さらに、上記実施形態では、板金１０２として、手前部分（側板１０４と側板１０６を繋ぐように左右に長く形成された部分）と、奥側部分（ホッパ装置１４が載置される部分（スライドレール１１２、１１４が設けられた部分）や、電源ＢＯＸ３２が載置される部分（後述する支持レール１４０、１４２が設けられた部分）や、オーバーフロータンク３０が載置される部分）とが一体に形成されたものを用いる例で説明をしたが、本発明はこれに限定されない。板金として、手前部分と奥側部分とが別体に設けられたものを用いてもよい。
もちろん、板金の奥側部分についても部分毎に別体に設けてもよい。この場合、例えば、ホッパ装置１４が載置される部分を、他の部分（電源ＢＯＸ３２が載置される部分や、オーバーフロータンク３０が載置される部分）とは別体に設けるといったことが考えられる。
【００４５】
＜電源ＢＯＸの放熱・アース構造＞
図１０に戻り、板金１０２上には、前後に長く形成され、所定間隔を開けて左右に並べて配置された一対の支持レール１４０、１４２が配置されており、この支持レール１４０、１４２上に電源ＢＯＸ３２が載置されている（図２参照）。すなわち、電源ＢＯＸ３２は、支持レール１４０、１４２の高さに相当する分の間隔を開けて板金１０２の上方に配置されている（図１３参照）。
【００４６】
図１２に示すように、電源ＢＯＸ３２は、外装体４２、１５０を備えており、電源ＢＯＸ３２の外装はこれら外装体４２、１５０により構成される。
前述のように、外装体４２は、例えば、透明な樹脂から形成され、電源ＢＯＸ３２の前面（遊技機本体の手前側の面）、後面（遊技機本体の奥側の面）、上面、側面（ホッパ装置１４側の面）の４つの面の外装を構成する。
外装体４２は、電源ＢＯＸ３２の後面の外装を構成する後面板１５２に、複数の放熱用貫通孔１５４が形成されており、この放熱用貫通孔１５４から電源ＢＯＸ３２内の熱を放出できるようになっている。図２、図１０に示すように電源ＢＯＸ３２の背後（奥壁４４側）には、奥壁４４を貫通する開口１５６が形成されており、放熱用貫通孔１５４から放出された熱は、開口１５６を介してスロットマシン１０の外部に放出される。
【００４７】
図１２に戻り、外装体１５０は、金属など導電性を有する材料から形成され、電源ＢＯＸ３２の下面（底面）と、側面（側壁４６（図２、図１０参照）側の面）の２つの外装を構成する。
外装体１５０は、電源ＢＯＸ３２の側面を構成する側面板１５８に、電源回路を搭載した基板がネジ止めされるなどして取り付けられている。また、側面板１５８には、前方（手前側）に延設された延設部１６０が設けられており、図２に示すように、この延設部１６０が側板１０４に当接されている。これにより、電源ＢＯＸ３２（外装体１５０や、側面板１５８に取り付けられた部品）がアースされる。また、側面板１５８から側板１０４へと熱を伝達することにより電源ＢＯＸ３２の熱を逃がすことができる。
【００４８】
再び図１２に戻り、外装体１５０は、電源ＢＯＸ３２の下面を構成する下面板１６２に、複数の放熱口１６４が形成されており、この放熱口１６４から電源ＢＯＸ３２内の熱を放出できるようになっている。図１３に示すように、放熱口１６４は、その開口部１６６が電源ＢＯＸ３２と板金１０２との間に形成された隙間（支持レール１４０、１４２により形成された隙間）に配置されており、この隙間へ向けて放熱する。また、放熱口１６４は、開口部１６６が後側（奥壁４４に形成された開口１５６側）へ向けられており、開口１５６へ向けて放熱する。つまり、放熱口１６４により、電源ＢＯＸ３２内の熱が電源ＢＯＸ３２と板金１０２との間の隙間及び開口１５６を介してスロットマシン１０の外部へと放出される。
【００４９】
さらに、本例では、支持レール１４０、１４２を、金属などの導電性を有する材料から形成している。これにより、電源ＢＯＸ３２（外装体１５０や、側面板１５８に取り付けられた部品）がアースされる。また、下面板１６２から支持レール１４０、１４２を介して板金１０２へと熱を伝達することにより電源ＢＯＸ３２の熱を逃がすことができる。
【００５０】
なお、上記実施形態では、電源ＢＯＸ３２の外装を構成する６つの面のうち２つの面（片方の側面と底面）を、金属などから形成してアース及び放熱の機能を持たせる例で説明をしたが、電源ＢＯＸ３２の外装を構成する６つの面のうちアース及び放熱の機能を持たせる面の位置や数については自由に設定できる。
また、上記実施形態では、電源ＢＯＸ３２の外装を構成する６つの面のうち４つの面を透明な樹脂などから形成して視認性を向上させる例で説明をしたが、電源ＢＯＸ３２の外装を構成する６つの面のうち透明とする面の位置や数については自由に設定できる。
もちろん、１つの面の一部を金属などから形成してアース及び放熱の機能を持たせ、この面の残りの部分を透明として視認性を向上させてもよい。
【００５１】
また、上記実施形態では、電源ＢＯＸ３２を支持レール１４０、１４２上に載置する例で説明をしたが、本発明はこれに限定されるものではない。支持レール１４０、１４２を廃止し、遊技機本体の底部（板金１０２の上面）と電源ＢＯＸ３２の底面との間に隙間が形成されるように、電源ＢＯＸ３２を側壁４６にネジ止めするなどして固定してもよい。
【００５２】
さらに、上記実施形態では、電源ＢＯＸ３２の下面を構成する下面板１６２に、開口部１６６が奥側（後側）へ向くように放熱口１６４を設ける例で説明をしたが、本発明はこれに限定されるものではない。放熱口は、例えば、放熱用貫通孔１５４（図１２参照）と同様の貫通孔（下面板１６２に形成された貫通孔であり、開口が下方を向くように形成された貫通孔）であってもよい。このような貫通孔を放熱口としても電源ＢＯＸ３２内の熱を電源ＢＯＸ３２外に放出できる。もちろん、ファンなどの送風手段を設け、電源ＢＯＸ３２内の熱を電源ＢＯＸ３２外に放出したり、電源ＢＯＸ３２（放熱口）から放出された熱を開口１５６を介してスロットマシン１０の外部へと放出してもよい。
【符号の説明】
【００５３】
１０  スロットマシン（遊技機）
１１  収納箱（遊技機本体）
１２  前面扉（遊技機本体）
１４  ホッパ装置（着脱部材）
３０  オーバーフロータンク（着脱部材）
３２  電源ＢＯＸ
３４、３６  基板ケース
３８  基板ケース（近傍部材）
４０  本体箱
４２、１５０  外装体
４４  奥壁
４６  側壁
４８、６０、７０  開口
５０、６１、７１  ハーネス
５２  回路基板
５４、６４、７４  ハーネス側コネクタ
５６、６６、７６  基板側コネクタ
５８  ハーネス経路規制部材
６８、６８ａ、６８ｂ  傾斜部
８０  ネジ（固定具）
１００  底板（遊技機本体の底部）
１０２  板金（遊技機本体の底部）（導電板）
１０４、１０６  側板（導電板）
１０８  天板（導電板）
１１０、１２０  切り欠き部
１１２、１１４  スライドレール
１３０  メダル
１４０、１４２  支持レール
１５２  後面板
１５４  放熱用貫通孔
１５６  開口
１５８  側面板
１６０  延設部
１６２  下面板
１６４  放熱口
１６６  開口部
【図１】
2019187887.tif 000003
【図２】
2019187887.tif 000004
【図３】
2019187887.tif 000005
【図４】
2019187887.tif 000006
【図５】
2019187887.tif 000007
【図６】
2019187887.tif 000008
【図７】
2019187887.tif 000009
【図８】
2019187887.tif 000010
【図９】
2019187887.tif 000011
【図１０】
2019187887.tif 000012
【図１１】
2019187887.tif 000013
【図１２】
2019187887.tif 000014
【図１３】
2019187887.tif 000015
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
メダルを投入して遊技を行う遊技機において、
遊技機本体の底部を構成する底板と、
前記底板上に配置されて前記底板の上面の一部を覆い、前記底板とともに前記底部を構成する板金と、
前記遊技機本体の内部へ向けて前記底部上を移動されることにより前記遊技機本体に装着される着脱部材を備え、
前記底部のうち前記底板が露呈される露呈部分は、前記メダルの直径以上の大きさに形成されるとともに、前記着脱部材の装着経路の下方とその近傍との少なくとも一方に形成され、
前記板金の厚みが、前記メダルの厚み以上に形成されていることを特徴とする遊技機。